(57)【要約】    【課題】掃除機本体の走行追従性を改善した電気掃除機を提供する。    【解決手段】掃除機本体の前方側であって吸引ホースが接続される側に配置される電動送風機と、前記掃除機本体の後方側に配置され電源コードが巻き回されるコードリールと、前記電動送風機と前記コードリールとの間に配置され前記吸引ホースを経て吸引された塵埃を溜める集塵ユニットと、集塵ユニットの左右両側に配置される一対の主輪と、前記電動送風機の重心の位置よりも後方かつ前記主輪よりも前方で床面に接するキャスターとを備える電気掃除機。【選択図】図８
2014079449.tif 000002
【特許請求の範囲】
【請求項１】
掃除機本体の前方側であって吸引ホースが接続される側に配置される電動送風機と、
前記掃除機本体の後方側に配置され電源コードが巻き回されるコードリールと、
前記電動送風機と前記コードリールとの間に配置され前記吸引ホースを経て吸引された塵埃を溜める集塵ユニットと、
集塵ユニットの左右両側に配置される一対の主輪と、
前記電動送風機の重心の位置よりも後方かつ前記主輪よりも前方で床面に接するキャスターとを備えることを特徴とする電気掃除機。
【請求項２】
前記キャスターは、前記掃除機本体の底面に取付けられ、前記掃除機本体に対して自在に支持された自在フレームとその自在フレームに回動可能に取付けられる車輪を有し、
前記掃除機本体には、前側の下部から底面の前記自在フレームの前端部にかけて第１曲面が形成され、
前記自在フレームには、下面が前端部から前記車輪が取付けられる部分にかけて第２曲面が形成される請求項１に記載の電気掃除機。
【請求項３】
前記キャスターおよび前記主輪が水平面に置かれたときに、
前記自在フレームは、掃除機本体に対して鉛直軸まわりに自在に回動し、かつ、
前記第２曲面は、下に凸で前端部から後端部へ進むにつれて下降する請求項２に記載の電気掃除機。
【請求項４】
前記主輪は、前記コードリールの重心の位置よりも前方で床面に接する請求項１〜３の何れか一つに記載の電気掃除機。
【発明の詳細な説明】
【技術分野】
【０００１】
この発明は、電動送風機、集塵ユニット、電源コードが巻き回されるコードリールを備える電気掃除機に関する。
【背景技術】
【０００２】
近年は、使い勝手を良くするために掃除機本体の小型軽量化および狭小化が望まれている。
これに関し、特許文献１には、掃除機本体の前部に配置された吸い込み口と、前記吸い込み口の後方に円筒の中心軸が掃除機本体の左右方向に水平となる姿勢で配置されたサイクロン方式の集塵室と、前記集塵室の円筒の中心軸方向に並設された電動送風機および電源供給部とを備え、前記電動送風機から出た空気流を、基板が配置された短い空気流路を介して排気すると共に、電動送風機と電源供給部を前記集塵室の円筒の中心軸方向に並設して小型化を図った電気掃除機が記載されている。
また、特許文献１には、掃除機本体の後方に集塵室を配置し、その前部に送風機と電源供給部を配置したものが記載されている。
【先行技術文献】
【特許文献】
【０００３】
【特許文献１】特開２００４−１６６０７号公報
【発明の概要】
【発明が解決しようとする課題】
【０００４】
しかしながら、従来の電気掃除機では前方に集塵室が、後方に電動送風機およびコードリールが配置されるために掃除機本体の質量が後方に集中する。そのため、掃除機本体が吸引ホース部に牽引されるときに前輪が浮き上がってバウンドしやすくまた走行方向が不安定で、掃除機本体の走行追従性が良くないという問題があった。
また、特許文献１に記載されているように、掃除機本体の後方に集塵室を配置し、その前部に送風機と電源供給部を配置した場合には、重量が大きい送風機と電源供給部の両方が掃除機本体の前方に配置されることとなり、掃除機本体が吸引ホース部に牽引されるときに前輪が段差を乗り越え難くなり、結局、これによっても掃除機本体の走行追従性が良くないという問題があった。
【０００５】
この発明は、以上のような事情を考慮してなされたものであって、掃除機本体の走行追従性を改善した電気掃除機を提供するものである。
【課題を解決するための手段】
【０００６】
この発明は、掃除機本体の前方側であって吸引ホースが接続される側に配置される電動送風機と、前記掃除機本体の後方側に配置され電源コードが巻き回されるコードリールと、前記電動送風機と前記コードリールとの間に配置され前記吸引ホースを経て吸引された塵埃を溜める集塵ユニットと、集塵ユニットの左右両側に配置される一対の主輪と、前記電動送風機の重心の位置よりも後方かつ前記主輪よりも前方で床面に接するキャスターとを備えることを特徴とする電気掃除機を提供する。
【発明の効果】
【０００７】
この発明の電気掃除機は、掃除機本体の前方側に配置される電動送風機と、後方側に配置されるコードリールとの間に集塵ユニットが配置されるので、掃除機本体の質量が前方と後方に分散される。よって、吸引ホース部に牽引されても前輪のキャスターが浮き上がりにくく走行が安定する。
【図面の簡単な説明】
【０００８】
【図１】この発明の実施形態に係る電気掃除機の外観斜視図である。
【図２】この発明の実施形態に係る掃除機本体の平面図である。
【図３】この発明の実施形態に係る掃除機本体の側面図である。
【図４】この発明の実施形態に係る掃除機本体の第１の分解斜視図である（台車と車輪の周辺）。
【図５】この発明の実施形態に係る掃除機本体の第２の分解斜視図である（電動送風機周辺）。
【図６】この発明の実施形態に係る掃除機本体の第３の分解斜視図である（ダクト周辺）。
【図７】この発明の実施形態に係る掃除機本体の第４の分解斜視図である（コードリール周辺）。
【図８】図２のＡ−Ａ矢視断面図である。
【図９】集塵ユニットを外した状態での図２のＡ−Ａ矢視断面図である。
【図１０】集塵ユニットを外した状態での図２のＡ−Ａ矢視断面図である。
【図１１】この発明の実施形態に係る集塵ユニットの外観斜視図である。
【図１２】この発明の実施形態に係る集塵ユニットの図２に示すＡ−Ａ矢視断面図である。
【図１３】図８に示す掃除機本体における空気流の流路を示す説明図である。
【図１４】この発明の実施形態に係る自在フレームの外観斜視図である。
【図１５】この発明の実施形態に係る自在フレームの底面図並びに前後方向の側面図および断面図である。
【図１６】この発明の実施形態に係る自在フレームの底面図並びに左右方向の側面図および断面図である。
【発明を実施するための形態】
【０００９】
以下、図面を用いてこの発明をさらに詳述する。なお、以下の説明は、すべての点で例示であって、この発明を限定するものと解されるべきではない。
【００１０】
〔電気掃除機の全体説明〕
図１はこの発明の実施形態に係る電気掃除機の外観斜視図、図２と図３は図１に示す電気掃除機の掃除機本体の平面図と側面図である。
【００１１】
これらの図に示すように、電気掃除機１は、サイクロン方式の集塵ユニット５００を離脱可能に内蔵した掃除機本体１００と、吸引ホース部３００とを備える。
【００１２】
吸引ホース部３００は、吸引ホース３０１と、延長パイプ３０２と、延長パイプ３０２の先端に接続される吸入部３０３と、手元ハンドル３０４と、手元ハンドル３０４に付設された操作部３０５と、接続部３０６を備える。
【００１３】
吸引ホース３０１は接続部３０６を介して掃除機本体１００の前方に離脱可能に接続され、ユーザーは手元ハンドル３０４を手で保持しながら延長パイプ３０２の先端の吸入部３０３を床面に接触させながら移動させることができる。
【００１４】
掃除機本体１００は両側面に一対のリング状車輪１４０を、前方下部に自在車輪１１７をそれぞれ備えているので、使用者が手元ハンドル３０４を手で保持して移動するとき、掃除機本体１００はその動作に追随することができる。
なお、リング状車輪１４０は、この発明の主輪の具体的な一態様である。
【００１５】
掃除機本体１００は、床面の塵挨を空気と共に吸入部３０３から延長パイプ３０２と吸引ホース３０１を介して集塵ユニット５００へ吸引するようになっている。集塵ユニット５００の左右両側にはリング状車輪本体１１０が配されている。
【００１６】
ユーザーは掃除機本体１００内部の集塵ユニット５００の集塵状況をリング状車輪本体１１０の中央開口１４１から目で確認し、適宜、集塵ユニット５００を掃除機本体１００の上部から引出して集塵ユニット５００に集められた塵挨を廃棄することができる。
【００１７】
掃除機本体１００の後方上部には、図２に示すようにコードリール（後述）の電源コードの差込みプラグ１３１と、電源コードの引出し長さを調整するためのブレーキボタン１３２とが設けられている。
【００１８】
また、掃除機本体１００は手提げハンドル１１５を備えるので、ユーザーは手提げハンドル１１５を把持し、掃除機本体１００を持ち上げて運搬することが可能である。
【００１９】
図４〜図７は掃除機本体１００の分解斜視図、図８は図２のＡ−Ａ矢視断面図、図９は、掃除機本体１００から集塵ユニット５００を除去した状態の図８対応図、図１０は図３のＢ−Ｂ矢視断面図である。これらの図を用いて掃除機本体１００の構成を説明する。
【００２０】
掃除機本体１００は、その下部を構成する細長い台車１０１（図４参照）と、台車１０１の前方に設置され電動送風機１０６（図５参照）を収容するための下部第１筐体１０２（図５参照）を備える。さらに、台車１０１の中央に設置され集塵ユニット５００を収容すべく集塵室１５０を構成する第２筐体１０３（図４参照）と、台車の後方に設置されコードリール１０８を収容するための第３筐体１０７（図７参照）を備える。第３筐体１０７には排気口１３３が形成されている。
【００２１】
電動送風機１０６（図５および図８参照）は、下部第１筐体１０２の中にその回転軸方向、つまり送風方向が重力方向を向くように台座１２２（図５参照）を介して設置される。図６に示す下部第１筐体カバー１０４とダクト１０５が下部第１筐体１０２の上に装着される。
【００２２】
下部第１筐体カバー１０４（図６参照）は上面に横中継ダクト１０４ａと縦中継ダクト１０４ｂとを備える。ダクト１０５はパッキン１２４を介して集塵ユニット５００の流出ダクト５７１（図１１参照）を縦中継ダクト１０４ｂ（図６参照）に接続するために設けられている。
【００２３】
縦中継ダクト１０４ｂはダクト１０５を電動送風機１０６に接続するために設けられる。横中継ダクト１０４ａ（図６参照）の出入口にはそれぞれパッキン１２５と１２６が装着されている。
【００２４】
横中継ダクト１０４ａは吸引ホース部３００の接続部３０６（図１、図３および図１０参照）を集塵ユニット５００の流入口５０３（図１１参照）にパッキン１２５と１２６を介して接続するために設けられている。
【００２５】
これによって、吸引ホース部３００の接続部３０６から横中継ダクト１０４ａを介して集塵ユニット５００の流入口５０３に至る流路と、集塵ユニット５００の流出ダクト５７１からダクト１０５および縦中継ダクト１０４ｂを介して電動送風機１０６に至る流路が形成される。
また、集塵ユニット５００の流出ダクト５７１からの流出口と接続されるダクト１０５の流入口と吸引ホース部３００の接続部３０６から横中継ダクト１０４ａの流入口とが同一面側に形成されている。これは、掃除をする際に電動送風機１０６の吸引力により流入口が同一方向に引っ張られることで集塵ユニット５００が安定する状態になりやすい。
横中継ダクト１０４ａの側面には接続部３０６の端子（図示せず）を掃除機本体１００と接続するターミナル部１０４ｃ（図６参照）があって、外側から端子カバー１２３で覆われている。掃除機本体１００のプリント配線板１２０と吸引ホース部３００の操作部３０５とは、前記端子およびターミナル部１０４ｃを介した配線で接続される。
【００２６】
下部第１筐体１０２は後方に延出する配線板ケース１０２ａ（図５および図８参照）を備える。配線板ケース１０２ａにはプリント配線板１２０が収容され、ケース底板１１９が装着される。なお、図５に示すように、下部第１筐体１０２は電動送風機１０６とプリント配線板１２０との間に挿入される有孔プレート１２１を備える。有孔プレート１２１は樹脂製の多孔板である。
【００２７】
このように構成された下部第１筐体１０２（図５参照）は、台車１０１の前方に固定され、手提げハンドル１１５を有する上部第１筐体１１４（図６参照）がその上から装着される。
【００２８】
一方、台車１０１の中央に設置された第２筐体１０３（図４参照）は、上部に上部開口１０３ａを、両側面に窓１０３ｂを、窓１０３ｂの周囲にリング状の窓枠１０３ｃをそれぞれ備える。
【００２９】
また、第２筐体１０３の底と台車１０１との間には、電動送風機１０６から排出される空気流を第３筐体１０７の方へ流すための下部流路１３８（図８参照）が形成される。
【００３０】
台車１０１の後方には、電源コード（図示しない）を引出し可能に巻回するコードリール１０８（図７参照）と、コードリール１０８を回転可能に支持するコードリール支持板１２７、１２８などが設けられ、それらが第３筐体１０７（図７参照）によって覆われる。
【００３１】
第３筐体１０７は、コードリール１０８をリール軸が台車１０１の長手方向に平行になるように収容する。また、第３筐体１０７は、電動送風機１０６により生成され下部流路１３８を流れる空気流をコードリール１０８を介して掃除機本体１００の後方に排出するための排気口１３３を備える。これによって、コードリール１０８に巻回されている電源コードが通電時に冷却される。
【００３２】
図４に示す一対の円弧状の補強梁１０９は、第２筐体１０３のリング状の窓枠１０３ａの上半分と結合するように台車１０１に固定されると共に、図９に示すように、上部第１筐体１１４と第３筐体１０７とを連結する。これによって掃除機本体１００の長手方向の剛性が補強される。また、一対の補強梁１０９は、下方の第２筐体１０３と共に集塵ユニット５００を収容する集塵室１５０を構成する。
【００３３】
そして、図４に示すように、半円弧状の補強梁１０９と台車１０１の両側からリング状車輪１４０、つまりリング状車輪ガイド１１１と、リング状車輪本体１１０と、リング状車輪カバー１１２と、円弧状化粧カバー１１３が取付けられる。
図８に示すように、リング状車輪本体１１０は、コードリール１０８の重心の位置よりも前方で床面に接する。
【００３４】
このように構成された掃除機本体１００に対して、集塵ユニット５００が、図８〜図１０に示されるように掃除機本体１００の上方から一対の補強梁１０９の間を、第２筐体１０３の上部開口１０３ａ（図４参照）を介して第２筐体１０３内へ装填される。
【００３５】
なお、自在車輪１１７は、電動送風機１０６の真下の位置に自在フレーム１１６（図４参照）を介して台車１０１の外側底面に回転・旋回自在に設けられる。
このように電動送風機１０６が前方にあることで重心が前になり、電動送風機１０６の下側に自在車輪１１７も設けることで、掃除をするときに掃除機本体１００の前方が浮き上がることが抑制でき、吸引ホース３０１の引っ張りによる掃除機本体１００の移動が追随しやすくなる。
図８に示すように、自在車輪１１７は、電動送風機１０６の重心の位置よりも後方かつリング状車輪本体１１０よりも前方で床面に接する。
【００３６】
このようにして、掃除機本体１００では、台車１０１の前方（吸引ホース部３００の接続側）から長手方向に一列に、電動送風機１０６、集塵ユニット５００およびコードリール１０８が配列され、流路がそれらの上と下に設けられるので、掃除機本体１００の幅寸法を最小にしている。
【００３７】
図１１は、集塵ユニット５００の外観斜視図である。図１２は、集塵ユニット５００の図２に示すＡ−Ａ矢視断面図である。集塵ユニット５００は、カップカバーユニット５７０、フィルターユニット５５０、内筒ユニット５３０および有底円筒状のダストカップ５０１を有する。
【００３８】
ダストカップ５０１は集塵状況が外部から目視可能なように透明または半透明の樹脂で形成される。図１１に示すようにダストカップ５０１の前部の周面には吸引ホース部３００（図１参照）からの空気流が流入する流入口５０３が設けられる。
【００３９】
図１０を参照すると、吸引ホース部３００の接続部３０６は、円筒状のダストカップ５０１の内部円周面にその接線方向から真直ぐに空気が流入するように掃除機本体１００の中心から偏って屈曲している。
図１２を参照すると、内筒ユニット５３０は、フィルターユニット５５０を収容する上部のカップカバー５３７、下部のダスト仕切り５３５およびその間を接続する内筒５３３からなる。内筒５３３が接続されるカップカバー５３７の底部には開口が形成されている。内筒５３３の周にはスリット状の流出口５３３ｂが形成され、流出口５３３ｂにはメッシュ状のフィルター（図示せず）が配置されている。ダスト仕切５３５は内筒５３３より外径の大きいフランジ部５３５ａ、フランジ部の外周を囲む大径筒部５３５ｂおよびダストカップ５０１の底面中央部に下端が接する小径筒部５３５ｃからなる。
【００４０】
電動送風機１０６が作動すると、空気流は接続部３０６と横中継ダクト１０４ａを介してダストカップ５０１に周接線方向に真直ぐに流入し、ダストカップ５０１内に高速の旋回気流を形成する。
【００４１】
これにより、空気流に含まれる塵埃が遠心分離される。集塵ユニット５００は、形成する旋回気流の中心軸が重力方向を向くように設置されているので、遠心分離された塵埃のうち、重いものは重力の作用によりフランジ部５３５ａの下方に集積される。
ここで、集塵ユニット５００の旋回気流の中心軸が重力方向を向くとは、旋回気流の中心軸が真下を向いている必要はなく、集塵ユニット５００が縦方向にて掃除機本体１００に配置されていればよい。
【００４２】
軽いものは空気流と共に流出口５３３ｂに配置されたメッシュ状フィルターで濾過される。また、微少な塵埃は流出口５３３ｂを介して内筒５３３を上昇しフィルターユニット５５０によりろ過される。フィルターユニット５５０は山部と谷部とが連続するプリーツフィルタから構成される。ろ過された空気流は流出ダクト５７１を介して電動送風機１０６へ吸引される。
【００４３】
図１３は図８に示す掃除機本体１００における空気流の流路を示す説明図である。
同図に示すように、吸引ホース３０１からの空気流は、接続部３０６を介して電動送風機１０６の上方を通って集塵ユニット５００へ流入する。
【００４４】
流入した空気流は集塵ユニット５００のダストカップ５０１内で旋回流となる。そして、集塵の遠心分離が行われた後、空気流は内筒５３３の内部を上昇し、フィルターユニット５５０を通過して電動送風機１０６を通り、集塵ユニット５００の下方に台車１０１の縦方向に形成された下部流路１３８に入る。旋回軸は鉛直方向に対して上方がやや後方へ傾いている。図１３のように側面から見た場合、接続部３０６からダストカップ５０１へ流入する流路は旋回軸とほぼ直交している。
【００４５】
そして、空気流は下部流路１３８中に設置された配線板ケース１０２ａの中を、プリント配線板１２０を冷却しながら通過した後、コードリール１０８の中を通って分散される。分散された空気流は、第３筐体１０７の背面に設けられた排気口１３３から外へ排出される。
【００４６】
従って、電動送風機１０６から空気流に乗って外へ出ようとする騒音は、集塵ユニット５００の下方に台車１０１の縦方向に形成された長い下部流路１３８によって減衰されると共に、下部流路１３８中の配線板ケース１０２ａと第３筐体１０７内のコードリール１０８とによって分散・吸収される。これによって、掃除機本体１００から外へ出る電動送風機１０６の騒音は効果的に低下する。
【００４７】
また、図１３に示すように、空気流の流路は掃除機本体１００の上部と下部に分けて設けられ、側面部分に設けられていないので、掃除機本体１００の横幅は最小限に小さくなっている。
【００４８】
〔自在フレームの構成〕
図１４は、自在フレーム１１６の外観斜視図である。図１５の（ａ）は自在フレーム１１６の底面図、（ｂ）は前後方向の側面図、（ｃ）は（ａ）のＣ−Ｃ矢視断面図である。（ｂ）および（ｃ）は二点鎖線で台車１０１を示しており、天地は台車１０１に取付けられた状態に適合させている。図１６の（ａ）は自在フレーム１１６の底面図、（ｂ）は後方から見た側面図、（ｃ）は（ａ）のＤ−Ｄ矢視断面図である。（ｂ）および（ｃ）は二点鎖線で台車１０１を示しており、天地は台車１０１に取付けられた状態に適合させている。
図１５（ａ）および図１６（ａ）に示すように、自在フレーム１１６は、略円形の底面から自在車輪１１７が取付けられる部分を切り欠いた形状を有する。中央部には、台車１０１に旋回自在に取付けるための旋回軸孔１１６ａが形成されている。台車１０１には、旋回軸孔１１６ａと嵌合する凸部が形成されて自在フレーム１１６が旋回自在に取付けられる（図３、図４および図８参照）。
図１５（ａ）では左側、図１６（ａ）では上側が進行方向の前側である。自在車輪１１７は、自在フレーム１１６の後端部に形成された２つの車輪軸孔１１６ｂを貫く図示しないシャフトを軸にして回動自在に取付けられる。
図１５（ｂ）および（ｃ）のように、進行方向に対し側方から見たとき、自在フレーム１１６は、掃除機本体１００に取付けられる上側がほぼ平坦で、底面側は進行方向の前側から後側へ向かうにつれて次第に掃除機本体１００から下方へ突出している。底面の稜線は底面側に凸のなだらかな曲線を描くように形成されている。この稜線は中央部１１６ｃの曲面の稜線である。なお、中央部１１６ｃの左右両側には部分的な球面状の側部１１６ｄがある。中央部１１６ｃのなす曲面はこの発明の第２曲面の具体的な一態様に相当する。
自在フレーム１１６が掃除機本体１００の底面に取付けられた状態で、前記稜線は台車１０１の前端部の稜線とつながるように形成されている。この稜線は台車１０１の前側の下部から底面にかけて形成されるなだらかな第１曲面１０１ａの稜線である（図３、図４および図８参照）。
【００４９】
以上に述べたように、この発明の電気掃除機は、掃除機本体の前方側であって吸引ホースが接続される側に配置される電動送風機と、前記掃除機本体の後方側に配置され電源コードが巻き回されるコードリールと、前記電動送風機と前記コードリールとの間に配置され前記吸引ホースを経て吸引された塵埃を溜める集塵ユニットと、集塵ユニットの左右両側に配置される一対の主輪と、前記電動送風機の重心の位置よりも後方かつ前記主輪よりも前方で床面に接するキャスターとを備えることを特徴とする。
【００５０】
さらに、この発明の好ましい態様について説明する。
前記キャスターは、前記掃除機本体の底面に取付けられ、前記掃除機本体に対して自在に支持された自在フレームとその自在フレームに回動可能に取付けられる車輪を有し、前記掃除機本体には、前側の下部から底面の前記自在フレームの前端部にかけて第１曲面が形成され、前記自在フレームには、下面が前端部から前記車輪が取付けられる部分にかけて第２曲面が形成されていてもよい。このようにすれば、掃除機本体が段差を通過するときに第１曲面および第２曲面に沿ってスムーズに段差を乗越えることができる。前述の実施形態における自在フレーム１１６の中央部１１６ｃは、この発明の第２曲面の一態様である。
【００５１】
さらに、前記キャスターおよび前記主輪が水平面に置かれたときに、前記自在フレームは、掃除機本体に対して鉛直軸まわりに自在に回動し、かつ、前記第２曲面は、下に凸で前端部から後端部へ進むにつれて下降するものであってもよい。
【００５２】
また、前記主輪は、前記コードリールの重心の位置よりも前方で床面に接するようにしてもよい。このようにすれば、主輪より後側にコードリールの重心があるので前側にある場合に比べて掃除機本体が左右に曲がるときの慣性モーメントが大きくなり、直進性が増す。よって、掃除機本体の走行が安定する。
この発明の好ましい態様は、ここで示した複数の態様のうち何れかを組み合わせたものも含む。
【００５３】
この発明についてもう少し具体的に述べると、清掃作業中に掃除機本体は吸引ホース部によって牽引されるので、吸引ホース部が接続される方が掃除機本体の前方になる。
コードリールには電源コードが巻き回され、清掃作業中は電源コードの全部または一部が引き出される。特に一部の電源コードのみが引き出されて他の部分がコードリールに巻き回された状態では、コードリールおよびそれに巻き回された電源コードの質量は掃除機本体の全質量のうちかなりの部分を占める。電源コードには銅など質量の大きい材料が用いられるためである。
集塵ユニットは、例えば塵埃を遠心分離するサイクロン式のものでもよいが、これに限定されず、例えばペーパーバッグ方式のものであってもよい。前述した実施形態はサイクロン式の集塵ユニットである。
前述した実施形態において、リング状車輪はこの発明の主輪に相当する。また、前述した実施形態において、自在フレームおよび自在車輪はこの発明のキャスターに相当する。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００５４】
１：電気掃除機、  １００：掃除機本体、  １０１：台車、  １０１ａ：第１曲面、  １０２：下部第１筐体、  １０２ａ：配線板ケース、  １０３：第２筐体、  １０３ａ：上部開口、  １０３ｂ：窓、  １０３ｃ：窓枠、  １０４：下部第１筐体カバー、  １０４ａ：横中継ダクト、  １０４ｂ：縦中継ダクト、  １０４ｃ：ターミナル部、  １０５：ダクト、  １０６：電動送風機、  １０７：第３筐体、  １０８：コードリール、  １０９：補強梁、  １１０：リング状車輪本体、  １１１：リング状車輪ガイド、  １１２：リング状車輪カバー、  １１３：円弧状化粧カバー、  １１４：上部第１筐体、  １１５：手提げハンドル、  １１６：自在フレーム、  １１６ａ：旋回軸孔、  １１６ｂ：車輪軸孔、  １１６ｃ：中央部、  １１６ｄ：側部、  １１７：自在車輪、  １１９：ケース底板、  １２０：プリント配線板、  １２１：有孔プレート、  １２２：台座、  １２３：端子カバー、  １２４、１２５、１２６：パッキン、  １２７、１２８：コードリール支持板、  １３１：差込みプラグ、  １３２：ブレーキボタン、  １３３：排気口、  １３８：下部流路、  １４０：リング状車輪、  １４１：中央開口、  １５０：集塵室、  ３００：吸引ホース部、  ３０１：吸引ホース、  ３０２：延長パイプ、  ３０３：吸入部、  ３０４：手元ハンドル、  ３０５：操作部、  ３０６：接続部、  ５００：集塵ユニット、  ５０１：ダストカップ、  ５０３：流入口、  ５３０：内筒ユニット、  ５３３：内筒、  ５３３ｂ：流出口、  ５３５：ダスト仕切、  ５３５ａ：フランジ部、  ５３５ｂ：大径筒部、  ５３５ｃ：小径筒部、  ５３７：カップカバー、  ５５０：フィルターユニット、  ５７０：カップカバーユニット、  ５７１：流出ダクト
【図１】
2014079449.tif 000003
【図２】
2014079449.tif 000004
【図３】
2014079449.tif 000005
【図４】
2014079449.tif 000006
【図５】
2014079449.tif 000007
【図６】
2014079449.tif 000008
【図７】
2014079449.tif 000009
【図８】
2014079449.tif 000010
【図９】
2014079449.tif 000011
【図１０】
2014079449.tif 000012
【図１１】
2014079449.tif 000013
【図１２】
2014079449.tif 000014
【図１３】
2014079449.tif 000015
【図１４】
2014079449.tif 000016
【図１５】
2014079449.tif 000017
【図１６】
2014079449.tif 000018